(57)【要約】【課題】本発明は、マウス操作を行う手や腕に対してマイナスイオンを作用させることのできるマウスパッドを提供することを目的とするものである。【解決手段】マウスを移動させて操作する移動面が形成されたパッド本体２と、移動面に対向配置するようにパッド本体２に設けられた導電体３と、導電体３に接続するとともに導電体３を負電位に設定する電圧を出力する電圧出力部５とを備えている。電圧出力部５は、ケーブル４を介してＵＳＢ接続端子６から供給される直流電圧を昇圧して−１００〜−４００Ｖの負電圧を導電体３に出力して、導電体３を負電位状態に設定する。負電位状態に設定された導電体３からはマイナスイオンが発生するようになる。【選択図】図１
2012053671.tif 000002
【特許請求の範囲】
【請求項１】
マウスを移動させて操作する移動面が形成されたパッド本体と、前記移動面に対向配置するように前記パッド本体に設けられた導電体と、前記導電体に接続するとともに前記導電体を負電位に設定する電圧を出力する電圧出力部とを備えていることを特徴とするマウスパッド。
【請求項２】
前記導電体は、前記パッド本体に内蔵されるとともに導電性繊維を平面状に配列して構成されていることを特徴とする請求項１に記載のマウスパッド。
【請求項３】
前記導電体は、前記パッド本体に内蔵されるとともに導電性シート材で構成されていることを特徴とする請求項１に記載のマウスパッド。
【請求項４】
前記電圧出力部は、−１００Ｖ〜−４００Ｖの電圧を出力することを特徴とする請求項１から３のいずれかに記載のマウスパッド。
【請求項５】
前記電圧出力部は、ＵＳＢ接続端子及び当該ＵＳＢ接続端子から供給される電源電圧を昇圧する昇圧回路を有することを特徴とする請求項１から４のいずれかに記載のマウスパッド。
【発明の詳細な説明】
【技術分野】
【０００１】
本発明は、パーソナルコンピュータ等のマウスの操作の際に用いられるマウスパッドに関する。
【背景技術】
【０００２】
パーソナルコンピュータ等の情報処理装置では、入力手段としてマウスを備えているのが一般的である。マウスは、一部が外部に露出するボールを内蔵しており、机上でマウスを移動させた際にボールが回転する方向や速度に応じてディスプレイに表示されたカーソルを移動させ、カーソルを画面上の所定位置にセットしてクリックすることで入力操作が行われる。
【０００３】
ボールを用いる方式以外にも発光素子及び受光素子をマウスに取り付けて光学的にマウスの移動方向及び移動速度を検知する方式等が開発されているが、いずれの方式においても机上に載置したマウスパッド上でマウスを移動させることで効率的に操作することができる。
【０００４】
マウスパッドは、板状体に形成されてマウスの移動操作を効率よく行うために様々な材料が用いられている。また、マウスパッドにマウスに関連した機能を付加したものも提案されている。例えば、特許文献１では、マウスパッドに導電性繊維や抗菌剤を含有させておき、静電気の除去及び抗菌作用を持たせるようにした点が記載されている。また、特許文献２では、マウスパッドに操作ボタンを設けるとともにＵＳＢケーブルを接続しておき、周辺機器にＵＳＢケーブルを介してマウスパッドから操作可能とした点が記載されている。また、特許文献３では、マウスパッドに導電性接触片を内蔵させて静電気の除去に用いた点が記載されている。また、特許文献４では、マウスパッドにワイヤレスマウスの給電用コイルを内蔵させてＵＳＢ端子から給電用コイルに電源供給するようにした点が記載されている。
【先行技術文献】
【特許文献】
【０００５】
【特許文献１】特開２０００−１３７５７２号公報
【特許文献２】特開２００２−１４０１６１号公報
【特許文献３】特開２００２−２１５３２６号公報
【特許文献４】特開２００９−２７１８４６号公報
【発明の概要】
【発明が解決しようとする課題】
【０００６】
近年パーソナルコンピュータ等の情報端末の普及やネットワークを用いた情報技術の進展に伴い、職場や家庭内において日常的にキー操作やマウス操作が行われるようになってきている。また、一般向けにユーザーフレンドリーな操作環境作りが進められているため、入力操作ではマウス操作の比重が高まってきており、そのため過度のマウス操作による手や腕の疲労が問題視されるようになってきている。
【０００７】
一方、人体に対してマイナスイオンを作用させることでリフレッシュ効果や健康増進効果が得られることが知られている。例えば、特許第３４１５８２１号公報に記載されているように、敷マットに内蔵する導電体に通電して負電位状態にすることでマイナスイオンを発生させ、発生したマイナスイオンを人体に作用させて体温上昇といった効能が得られることが確認されている。
【０００８】
そこで、本発明は、マウス操作を行う手や腕に対してマイナスイオンを作用させることのできるマウスパッドを提供することを目的とするものである。
【課題を解決するための手段】
【０００９】
本発明に係るマウスパッドは、マウスを移動させて操作する移動面が形成されたパッド本体と、前記移動面に対向配置するように前記パッド本体に設けられた導電体と、前記導電体に接続するとともに前記導電体を負電位に設定する電圧を出力する電圧出力部とを備えていることを特徴とする。さらに、前記導電体は、前記パッド本体に内蔵されるとともに導電性繊維を平面状に配列して構成されていることを特徴とする。さらに、前記導電体は、前記パッド本体に内蔵されるとともに導電性シート材で構成されていることを特徴とする。さらに、前記電圧出力部は、−１００Ｖ〜−４００Ｖの電圧を出力することを特徴とする。さらに、前記電圧出力部は、ＵＳＢ接続端子及び当該ＵＳＢ接続端子から供給される電源電圧を昇圧する昇圧回路を有することを特徴とする。
【発明の効果】
【００１０】
本発明は、上記のような構成を備えることで、導電体に通電して負電位に設定してマイナスイオンを発生させ、マウス操作の際にパッド本体上に載置する手や腕に対してマイナスイオンを作用させることができる。そのため、長時間のマウス操作による手や腕の疲労に対するリフレッシュ効果が得られる。
【図面の簡単な説明】
【００１１】
【図１】本発明に係る実施形態に関する平面図である。
【図２】図１のＡ−Ａ断面図である。
【図３】カバー体の一部切り欠いた平面図である。
【図４】シート状の導電体を用いた場合を示す平面図である。
【図５】図１のＢ−Ｂ断面図である。
【図６】電圧出力部に関する回路構成の一例を示すブロック構成図である。
【図７】情報処理装置にマウスパッドを接続した状態を示す斜視図である。
【図８】マウスの操作に関する説明図である。
【図９】パッド本体の変形例に関する外観斜視図である。
【図１０】バッテリを備えたマウスパッドに関する外観斜視図である。
【発明を実施するための形態】
【００１２】
以下、本発明を添付図面に示す実施形態に基づいて詳しく説明する。図１は、本発明に係る実施形態に関する平面図であり、図２は、図１のＡ−Ａ断面図である。マウスパッド１は、パッド本体２、パッド本体２に内蔵された導電体３、導電体３に電気的に接続されたケーブル４、ケーブル４に設けられた電圧出力部５及びケーブル４に接続されたＵＳＢ接続端子６を備えている。
【００１３】
パッド本体２は、導電体３を支持する支持シート体２０及び導電体３を被覆するカバー体２１が一体形成されている。支持シート体２０及びカバー体２１は、公知の合成樹脂材料からなり、支持シート体２０は、クッション性のある材料が好ましい。また、カバー体２１の表面は、マウスがスムーズに移動できる平滑な移動面に形成されており、図柄又は模様等がプリントされている。なお、支持シート体２０及びカバー体２１については、従来のマウスパッドに使用されている材料であれば用いることができ、例えば、織物、編物、不織布、紙等を用いてもよい。
【００１４】
導電体３は、カバー体２１の一部切り欠いた平面図である図３に示すように、導電性繊維を縦横にマトリックス状に平面配置して構成されている。導電性繊維としては、炭素繊維、金属繊維、金属で被覆された合成繊維等が挙げられる。こうした導電性繊維を互いに密着した状態の細幅テープ状に形成した縦糸３０及び横糸３１を所定間隔でマトリクス状に配置する。縦糸３０及び横糸３１の交差する部分では電気的に接続されるように密着した状態になっている。中央部分の縦糸３０がパッド本体２から外方に露出するように延設されており、ケーブル４と接続するコネクタ４０が取り付けられている。
【００１５】
なお、導電体３は、導電性繊維以外にも金属をシート状に形成した導電体を用いてもよい。図４は、シート状の導電体３’を用いた場合を示す平面図であり、図５は、図４のＢ−Ｂ断面図である。導電体３’は、支持シート体２０の上面に配置されており、カバー体２１により被覆されて一体化されている。シート状の導電体３’を用いることで、パッド本体２を薄く軽量化することができる。
【００１６】
導電体３については、このようにパッド本体２の移動面全体に拡がるように平面配置できるものであれば、使用することができる。
【００１７】
ケーブル４は、ＵＳＢ接続端子６及び導電体３の間を電気的に接続しており、ＵＳＢ接続端子６を図示せぬパーソナルコンピュータ等に接続して供給される電源電圧により導電体３に通電して負電位状態に設定する。電圧出力部５は、ケーブル４に設けられており、ＵＳＢ接続端子６から供給される５Ｖの直流電圧に基づいて−１００Ｖ〜−４００Ｖの直流電圧を導電体３に出力する。なお、この例では、電圧出力部５は、ケーブル４の中間部に取り付けられているが、ＵＳＢ接続端子６と一体化して取り付けるようにしてもよく、また、コネクタ４０と一体化して取り付けるようにしてもよい。
【００１８】
図６は、電圧出力部５に関する回路構成の一例を示すブロック構成図である。電圧出力部５は、昇圧回路５０、整流回路５１及び電圧出力回路５２を備えている。昇圧回路５０は、ＵＳＢ接続端子６から供給される直流電圧をブロッキング発振回路等の公知の回路を用いて昇圧する。昇圧回路５０からは交流電圧が出力されるため、整流回路５１により負電圧分のみ取り出して直流電圧に整流する。整流された直流電圧の電圧値が低い場合には、チャージポンプ等の昇圧回路を用いて所定の電圧まで昇圧するようにする。電圧出力回路では、昇圧された−１００Ｖ〜−４００Ｖの直流電圧を高抵抗（１０ＭΩ）に通してから導電体３に出力する。高抵抗に通すことで出力される直流電圧が人体に与える影響を抑えるようにする。
【００１９】
以上のような回路構成では、直流電源と接続する導電体３の端子は１つだけなので、電圧が印加されるだけで感電することはない。また、電圧出力部５には、通電状態の際に点灯するＬＥＤ素子を設けておき、導電体３が作動中であることを表示するようにしてもよい。
【００２０】
図７は、パーソナルコンピュータ等の情報処理装置Ｐにマウスパッド１を接続した状態を示す斜視図である。マウスパッド１は、ＵＳＢ接続端子６が情報処理装置Ｐの接続端子に挿着されて接続される。そして、マウスパッド１上には入力操作に用いるマウスＭが載置される。図８は、マウスＭの操作に関する説明図である。操作者は、マウスＭを手で把持してパッド本体２上を適宜摺動させてマウス操作を行う。ＵＳＢ接続端子６から電源電圧が供給されると、パッド本体２の全体に拡がるように設けた導電体３が高電圧の負電位状態とされるため、マイナスイオンがパッド本体２全体から発生するようになる。そして、マウス操作の際にパッド本体２上に載置される手や近接配置される腕に対してマイナスイオン作用を及ぼすことができ、長時間にわたるマウス操作による疲労を軽減するリフレッシュ効果が得られる。
【００２１】
以上説明した例では、パッド本体２の形状が矩形状となっているが、図９に示すように略円形状のものでも同様に導電体３を内蔵することでマイナスイオンを発生させることができる。
【００２２】
また、電源電圧をＵＳＢ接続端子から得るようにしているが、乾電池やボタン電池等のバッテリから電源電圧を得るようにしてもよい。図１０は、バッテリを備えたマウスパッドに関する外観斜視図である。この例では、パッド本体２に付設されたケース７内にバッテリ及び電圧出力部が内蔵されており、バッテリから供給される直流電圧を、上述したように、電圧出力部で昇圧して−１００Ｖ〜−４００Ｖの電圧を導電体に印加する。
【００２３】
この場合、情報処理装置にマウスパッドを接続する必要がなくなるので、マウスパッドの設置場所の自由度が大きくなってワイヤレスのマウス等を操作する場合に好適である。
【００２４】
支持シート体及びカバー体としてＮＫポリマー社製ゴム成形品を用い、導電体として炭素繊維（三ツ冨士繊維社製、ユニックス社製）を用いて、長さ２０ｃｍ×幅２０ｃｍ×厚さ４ｍｍに形成したパッド本体を作製した。炭素繊維は、幅１０ｍｍのテープ状に予め形成したものを用い、支持シート体上に２０ｍｍの間隔で縦横にマトリクス状に配列してカバー体を被覆するように熱圧着してパッド本体を形成した。
【００２５】
ＵＳＢ接続端子から５Ｖの電圧を供給し、昇圧回路及び整流回路を備えた電圧出力部により昇圧して−１００Ｖ〜−４００Ｖを導電体に印加するように設定した。導電体を負電位に設定した状態で、パッド本体２の表面においてマイナスイオンの発生が確認された。このマイナスイオンの発生は、人体への負電位印加による血行促進効果が得られて体温の上昇がみられるようになる。こうした血行促進による体温の上昇は、様々な健康増進効果に寄与するものである。
【符号の説明】
【００２６】
１    マウスパッド
２    パッド本体
３    導電体
４    ケーブル
５    電圧出力部
６    ＵＳＢ接続端子
７    ケース
【図１】
2012053671.tif 000003
【図２】
2012053671.tif 000004
【図３】
2012053671.tif 000005
【図４】
2012053671.tif 000006
【図５】
2012053671.tif 000007
【図６】
2012053671.tif 000008
【図７】
2012053671.tif 000009
【図８】
2012053671.tif 000010
【図９】
2012053671.tif 000011
【図１０】
2012053671.tif 000012